(57)【要約】【課題】  本発明は、容易な構成で、ノイズ、静電気、不要輻射、絶縁、電磁波対策をより強化したフレキシブルケーブルを提供することを目的とする。【解決手段】  フレキシブルケーブル１０の絶縁体２０に設けられた開口部２２から、フレキシブルケーブル１０に内層されたグランド層１８の一部が露出しており、この開口部２２から露出したグランド層１８とフレキシブルケーブル１０につながれていない他基板２４のグランド２８又はフレームとが、引出し導体２６によって電気的につながっている。よって、グランド層１８を引出し導体２６によって直接グランド又はフレームに接続するので、グランド層１８のグランドがより強化される。【選択図】        図１
2007087817.tif 000002
【特許請求の範囲】
【請求項１】
グランド層及び電源導体を絶縁体に内層したフレキシブルケーブルにおいて、
前記絶縁体に設けられ、前記グランド層を露出する開口部と、
前記開口部に露出した前記グランド層と前記フレキシブルケーブルにつながれていない他基板のグランド又はフレームとを接続する引出し導体と、
を有することを特徴とするフレキシブルケーブル。
【請求項２】
前記引出し導体の一部にはバネ部が形成され、前記引出し導体の一端又は両端はクリップで電気的に接続されることを特徴とする請求項１に記載のフレキシブルケーブル。
【請求項３】
前記グランド層は、グランド導体と前記電源導体が同一層に形成されたケーブル上に積層され、前記ケーブルより幅方向へ拡幅されていることを特徴とする請求項１又は請求項２に記載のフレキシブルケーブル。
【請求項４】
前記グランド層は、グランド導体と前記電源導体が同一層に形成されたケーブルと並行して設けられたグランドケーブル部であることを特徴とする請求項１又は請求項２に記載のフレキシブルケーブル。
【請求項５】
拡幅された前記グランド層又は前記グランドケーブル部が幅方向に分割され、ノイズ発生源を巻き込むように配置されていることを特徴とする請求項３又は請求項４に記載のフレキシブルケーブル。
【請求項６】
拡幅された前記グランド層又は前記グランドケーブル部が幅方向に分割され、長さ方向に形成された波目形状を有し、ノイズ発生源を巻き込むように配置されていることを特徴とする請求項３又は請求項４に記載のフレキシブルケーブル。
【請求項７】
拡幅された前記グランド層又は前記グランドケーブル部が幅方向に分割され、前記フレキシブルケーブルにつながれていない他基板の面と面接していることを特徴とする請求項３又は請求項４に記載のフレキシブルケーブル。
【発明の詳細な説明】
【技術分野】
【０００１】
本発明は、ノイズ、静電気、不要輻射、絶縁、電磁波対策を強化したフレキシブルケーブルに関する。
【背景技術】
【０００２】
フレキシブルケーブルは、複数の導体と柔軟な絶縁体によって構成されており、静電気や電波放射対策を強化する場合には、一般にシールド層付きフレキシブルケーブルが使用される。
【０００３】
従来技術としては、図９に示すような、グランド導体４８にシールド層５０を接着し、絶縁体５２に複数の作業開口５４が設けられた多層のシールド層付きフレキシブルケーブルがある。作業開口５４はシールド層５０に至っており、この開口から挿入した溶接ヘッドにより、グランド導体４８とシールド層５０とを接合する。よって、グランド導体４８とシールド層５０との接続抵抗を低くしてシールド性能を向上し、静電気や電波放射対策を強化することができる。
【０００４】
しかし、この方法は、シールド層５０のグランド強化によって、シールド層５０のシールド効果は向上するが、フレキシブルケーブルの両端に接続される基板間の電位差をなくすためのグランド強化にはなっていない。
【０００５】
また、多層のフレキシブルケーブルにグランド層を設ける場合にはＶＩＡが必要になり、このＶＩＡ自体が抵抗となるので、その抵抗分がグランド強化を阻害し、高周波ノイズ対策にはなっていない。
【０００６】
さらに、溶接した状態を作業開口５４から確認することが難しいので、各接合の抵抗値の品質にばらつきを生じる恐れがある。
【特許文献１】実開平５−６５４１号公報
【発明の開示】
【発明が解決しようとする課題】
【０００７】
本発明は係る事実を考慮し、容易な構成で、ノイズ、静電気、不要輻射、絶縁、電磁波対策をより強化したフレキシブルケーブルを提供することを課題とする。
【課題を解決するための手段】
【０００８】
本発明のフレキシブルケーブルは、グランド層及び電源導体を絶縁体に内層したフレキシブルケーブルにおいて、前記絶縁体に設けられ、前記グランド層を露出する開口部と、前記開口部に露出した前記グランド層と前記フレキシブルケーブルにつながれていない他基板のグランド又はフレームとを接続する引出し導体と、を有することを特徴としている。
【０００９】
本発明では、フレキシブルケーブルの絶縁体に開口部が設けられており、フレキシブルケーブルに内層されたグランド層の一部がこの開口部から露出している。そして、引出し導体によって、この開口部から露出したグランド層とフレキシブルケーブルにつながれていない他基板のグランド又はフレームとが電気的につながっている。
【００１０】
すなわち、フレキシブルケーブルにつながれていない他基板のグランド又はフレームをグランド基準点にし、この基準点とグランド層を引出し導体によって直接接続するので、グランド層のグランドがより強化される。
【００１１】
よって、このグランド層が、ノイズ、静電気、不要輻射、電磁波対策や絶縁に効果を発揮し、また、フレキシブルケーブルの両端に接続される基板間の電位差をなくすことができる。
【００１２】
さらに、このように強化されたグランド層は、高周波ノイズにも強い。
【００１３】
また、グランド層に直接引出し導体を接続するので、その接続状態の確認は目視可能であり容易なので、確実な接続作業を行うことができる。
【００１４】
なお、本発明は、前記引出し導体の一部にはバネ部が形成され、前記引出し導体の一端又は両端はクリップで電気的に接続されるものとしてもよい。
【００１５】
本発明では、引出し導体の一端又は両端に設けられたクリップによって、引出し導体の端部と、グランド層、他基板のグランド、フレームとが接続される。また、引出し導体の一部がバネ部になっている。
【００１６】
よって、引出し導体の接続作業が容易であり、フレキシブルケーブルが引っ張られた場合にも、バネ部が引っ張り力を緩衝するので、接続が外れたり、フレキシブルケーブルが切れてしまうのを防ぐことができる。
【００１７】
また、本発明は、前記グランド層は、グランド導体と前記電源導体が同一層に形成されたケーブル上に積層され、前記ケーブルより幅方向へ拡幅されているものとしてもよい。
【００１８】
本発明では、グランド層がグランド導体と電源導体の上に積層されており、さらに、フレキシブルケーブルの幅方向へ拡幅されている。
【００１９】
よって、この拡幅されたグランド層を幅方向に分割し、ノイズ発生源を巻き込むように配置したり、基板面に面接させることによって、ノイズ、静電気、電磁波障害を防いだり、絶縁効果を得ることができる。
【００２０】
また、本発明は、前記グランド層は、グランド導体と前記電源導体が同一層に形成されたケーブルと並行して設けられたグランドケーブル部であるものとしてもよい。
【００２１】
本発明では、グランド層がグランド導体や電源導体と並行して設けられたグランドケーブル部となっている。
【００２２】
よって、このグランドケーブル部を幅方向に分割し、ノイズ発生源等を巻き込むように配置したり、基板面に面接させることによって、ノイズ、静電気、電磁波障害を防いだり、絶縁効果を得ることができる。
【００２３】
また、このような単層のフレキシブルケーブルにグランド層を設けることにより、容易で低コストの構造により、グランド強化を図ることができる。
【００２４】
また、本発明は、拡幅された前記グランド層又は前記グランドケーブル部が幅方向に分割され、ノイズ発生源を巻き込むように配置されているものとしてもよい。
【００２５】
本発明では、拡幅されたグランド層又はグランドケーブル部が幅方向に分割されている。この分割されたケーブルのグランドは強化されているので、ノイズ発生源を巻き込むように配置することにより、放射ノイズや電磁波障害を防ぐことができる。
【００２６】
また、本発明は、拡幅された前記グランド層又は前記グランドケーブル部が幅方向に分割され、長さ方向に形成された波目形状を有し、ノイズ発生源を巻き込むように配置されているものとしてもよい。
【００２７】
本発明では、拡幅されたグランド層又はグランドケーブル部が幅方向に分割されている。この分割されたケーブルのグランドは強化されているので、ノイズ発生源を巻き込むように配置することにより、放射ノイズや電磁波障害を防ぐことができる。さらに、この巻き込んでいるケーブルが長さ方向に波目形状となっていて、放熱面積を大きくしているので、ノイズ発生源の発熱に対して、効率よく放熱することができる。
【００２８】
また、本発明は、拡幅された前記グランド層又は前記グランドケーブル部が幅方向に分割され、前記フレキシブルケーブルにつながれていない基板の面と面接しているものとしてもよい。
【００２９】
本発明では、拡幅されたグランド層又はグランドケーブル部が幅方向に分割されている。この分割されたケーブルのグランドは強化されているので、フレキシブルケーブルにつながれていない他基板の面と面接させることにより、この基板から発生するノイズ、静電気、電磁波を防ぎ、絶縁効果を得ることができる。
【００３０】
また、高周波クロック信号で動作する素子が多数設けられている２つの基板を、この分割されたケーブルの上下面に面接するようにそれぞれ設けた場合、一方の基板から発生するノイズで他方の基板が誤動作することを防ぐことができる。さらに、２つの基板から発生するノイズの重畳を防ぐことができる。
【発明の効果】
【００３１】
本発明は上記構成としたので、容易な構成で、ノイズ、静電気、不要輻射、絶縁、電磁波対策をより強化することができる。
【発明を実施するための最良の形態】
【００３２】
図面を参照しながら、多層フレキシブルケーブルに本発明を適用した例を説明する。なお、本実施形態では、主に多層フレキシブルケーブルに本願発明を適用した例を説明するが、単層フレキシブルケーブルへの適用も可能である。
【００３３】
図１には、本発明の第１の実施形態の多層フレキシブルケーブル１０の概略図が示されている。図２のＡ−Ａ断面図に示すように、最下層の絶縁体１２の上面の同一層には、グランド線となるグランド導体１４、電源線又は信号線となる電源導体１５が並行して設けられている。そして、この層の上面には、絶縁体１６を介してグランド層１８が積層されており、グランド導体１４と接している。さらに、このグランド層１８の上面が絶縁体２０で覆われている。また、絶縁体１６、グランド層１８、絶縁体２０は、多層フレキシブルケーブル１０の幅方向に拡幅されている。
【００３４】
絶縁体２０には、開口部２２が設けられており、この開口部２２からグランド層１８が露出している。
【００３５】
そして、この露出したグランド層１８と、多層フレキシブルケーブル１０のコネクター１１につながれていない他基板２４のグランド２８又はフレームとが、引出し導体２６によって電気的に接続されている。引出し導体２６は、電気を通す導体であればよいが、グランドをより強化するために、太くて短い銅線を用いることが望ましい。また、本実施形態では、引出し導体２６と、グランド層１８、グランド２８、フレームとの接点は、ハンダ３０にて溶着しているが、接続抵抗の低い接続方法であればよい。
【００３６】
図３には、本発明の第２の実施形態が示されている。多層フレキシブルケーブル１０の縁に開口部２２が設けられており、第１の実施形態と同様に、この開口部２２からグランド層１８が露出している。また、引出し導体２６の略中央にはバネ部２６Ａが形成されている。さらに、この引出し導体２６の両端には、クリップが設けられており、一方のクリップ２６Ｂは、露出したグランド層１８を、他方のクリップ２６Ｃは金属製のフレーム３２の板状部分を挟んでいる。よって、露出したグランド層１８とフレーム３２とが、引出し導体２６によって電気的に接続されている。本実施形態では、バネ部２６Ａの位置を引出し導体２６の略中央としたがこれに限るものではなく、使用に適した位置に設ければよいし、引出し導体２６の全長に渡ってバネ部２６Ａを形成してもよい。また、引出し導体２６のどちらか一方にクリップを設け、他方は第１の実施形態のようなハンダ３０による接続方法としてもよい。
【００３７】
図４には、本発明の第３の実施形態が示されている。第１の実施形態で説明した多層フレキシブルケーブル１０の幅方向に拡幅されたグランド層１８、絶縁体１６、２０（図５のＢ−Ｂ断面図）が幅方向に分割されている。そして、この分割されたケーブル３６がノイズ発生源３４を巻き込むように配置されている。
【００３８】
図６には、本発明の第４の実施形態が示されている。第１の実施形態で説明した多層フレキシブルケーブル１０の幅方向に拡幅されたグランド層１８、絶縁体１６、２０（図５のＢ−Ｂ断面図）が幅方向に分割されている。そして、この分割されたケーブル３６がノイズ発生源３４を巻き込むように配置され、さらに、この分割されたケーブル３６は、長さ方向に波目形状を形成することにより、放熱面積を大きくしている。
【００３９】
図７には、本発明の第５の実施形態が示されている。第１の実施形態で説明した多層フレキシブルケーブル１０の幅方向に拡幅されたグランド層１８、絶縁体１６、２０（図５のＢ−Ｂ断面図）が幅方向に分割されている。そして、この分割されたケーブル３６の上下面に面接するように、多層フレキシブルケーブル１０のコネクター11につながれていない基板３８、４０が配置されている。
次に、本実施形態に係るフレキシブルケーブルの作用を説明する。
【００４０】
第１の実施形態では、多層フレキシブルケーブル１０につながれていない他基板２４のグランド２８又はフレームをグランド基準点にし、この基準点とグランド層１８を引出し導体２６によって直接接続するので、グランド層１８のグランドがより強化される。
【００４１】
よって、このグランド層１８が、ノイズ、静電気、不要輻射、電磁波対策や絶縁に効果を発揮し、また、多層フレキシブルケーブル１０の両端に接続される基板間の電位差をなくすことができる。
【００４２】
さらに、このように強化されたグランド層１８は、高周波ノイズにも強い。
【００４３】
また、グランド層１８に直接引出し導体２６を接続するので、その接続状態は目視で確認可能であり容易なので、確実な接続作業を行うことができる。
【００４４】
第２の実施形態では、引出し導体２６に設けられたクリップ２６Ｂ、２６Ｃにより、引出し導体の接続作業を容易に行うことができる。また、多層フレキシブルケーブル１０が引っ張られた場合にも、バネ部２６Ａが引っ張り力を緩衝するので、接続が外れたり、多層フレキシブルケーブル１０が切れてしまうのを防ぐことができる。
【００４５】
第３の実施形態では、分割されたケーブル３６に内層されたグランド層１８のグランドは強化されているので、ノイズ発生源３４を巻き込むように、このケーブル３６を配置することによって、放射ノイズや電磁波を防ぐことができる。
【００４６】
第４の実施形態では、第３の実施形態のケーブル３６が、長さ方向に波目形状を形成して放熱面積を大きくしているので、第３の実施形態の効果に加え、ノイズ発生源の発熱に対して、効率よく放熱することができる。
【００４７】
第５の実施形態では、分割されたケーブル３６に内層されたグランド層１８のグランドは強化されているので、ケーブル３６に面接した基板３８、４０から発生するノイズ、静電気、電磁波を防ぎ、絶縁効果を得ることができる。また、基板３８、４０に、高周波クロック信号で動作する素子が多数設けられている場合、一方の基板３８から発生するノイズで他方の基板４０が誤動作することを防ぐことができる。さらに、２つの基板３８、４０から発生するノイズの重畳を防ぐことができる。
【００４８】
また、これまで、多層フレキシブルケーブルに本発明を適用した実施形態を示してきたが、第１〜第５の実施形態はすべて、図８に示すような単層フレキシブルケーブル４２への適用も可能であり、同様の作用・効果を得ることができる。
【００４９】
図８に示すように、単層フレキシブルケーブル４２は、同一層に、電源線又は信号線となる電源導体１５、グランド線となるグランド導体１４、グランド層４４が配置されており、これらが絶縁体１２、２０で覆われている。
【００５０】
絶縁体２０には、開口部２２が設けられており、この開口部２２からグランド層４４が露出している。
【００５１】
また、この露出したグランド層４４と、単層フレキシブルケーブル４２のコネクター１１につながれていない他基板２４のグランド２８又はフレームとが、引出し導体２６によって電気的に接続されている。
【００５２】
そして、この単層フレキシブルケーブル４２のグランド層４４を幅方向に分割したグランドケーブル部４６が、多層フレキシブルケーブル１０のケーブル３６と同様の作用・効果を発揮する。また、このような単層フレキシブルケーブル４２にグランド層４４を設けることにより、容易で低コストの構造により、グランド強化を図ることができる。
【図面の簡単な説明】
【００５３】
【図１】本発明の第１の実施形態に係る多層フレキシブルケーブルを示す概略図である。
【図２】図１のＡ−Ａ断面図である。
【図３】本発明の第２の実施形態に係る多層フレキシブルケーブルを示す概略図である。
【図４】本発明の第３の実施形態に係る多層フレキシブルケーブルを示す概略図である。
【図５】図４のＢ−Ｂ断面図である。
【図６】本発明の第４の実施形態に係る多層フレキシブルケーブルを示す概略図である。
【図７】本発明の第５の実施形態に係る多層フレキシブルケーブルを示す概略図である。
【図８】本発明の実施形態に係る単層フレキシブルケーブルを示す概略図である。
【図９】従来のシールド層付き多層フレキシブルケーブルを示す概略図である。
【符号の説明】
【００５４】
１０    多層フレキシブルケーブル（フレキシブルケーブル）
１２    絶縁体
１４    グランド導体
１５    電源導体
１６    絶縁体
１８    グランド層
２０    絶縁体
２２    開口部
２４    基板
２６    引出し導体
２６Ａ  バネ部
２６Ｂ  クリップ
２６Ｃ  クリップ
２８    グランド
３２    フレーム
３４    ノイズ発生源
３８    基板
４０    基板
４２    単層フレキシブルケーブル（フレキシブルケーブル）
４４    グランド層
４６    グランドケーブル部
【図１】
2007087817.tif 000003
【図２】
2007087817.tif 000004
【図３】
2007087817.tif 000005
【図４】
2007087817.tif 000006
【図５】
2007087817.tif 000007
【図６】
2007087817.tif 000008
【図７】
2007087817.tif 000009
【図８】
2007087817.tif 000010
【図９】
2007087817.tif 000011